(57)【要約】【課題】ＬＥＤライトの反射を利用しないために、眩しさを感ずることなくジェルネイル硬化作業を行うことができるジェルネイル硬化器を提供することを課題とする。【解決手段】手先を載せ置くベース板２と、手先差入用開口４を有していてベース板２を覆うカバーケース３とから成り、カバーケース３は外殻５と内殻６の二重構造で外殻５と内殻６の間に多数のＬＥＤ８が設置され、ベース板２の上面と内殻６の内周面１０及び天面１１が黒又はそれに近い暗色とされる。【選択図】図１
2020010847.tif 000002
【特許請求の範囲】
【請求項１】
手先を載せ置くベース板と、手先差入用開口を有していて前記ベース板を覆うカバーケースとから成り、
前記カバーケースは外殻と内殻の二重構造で前記外殻と内殻の間に多数のＬＥＤが設置され、前記ベース板の上面と前記内殻の内周面及び天面が黒又はそれに近い暗色とされていることを特徴とするジェルネイル硬化器。
【請求項２】
前記ベース板の前端面は円弧状に凹んでいて、その部分の端縁を包むように指保護カバーが設置されている、請求項１に記載のジェルネイル硬化器。
【請求項３】
前記ベース板の前端面から少し奥まった部分に、指先の位置決め用指置きガイドが設置されている、請求項１又は２に記載のジェルネイル硬化器。
【請求項４】
前記指置きガイドは円弧状である、請求項３に記載のジェルネイル硬化器。
【請求項５】
前記ＬＥＤとして、波長が３６０ｎｍから４１０ｎｍの間の１種又は２種以上のＬＥＤが用いられる、請求項１乃至４のいずれかに記載のジェルネイル硬化器。
【請求項６】
前記ベース板には１又は複数の放熱口が設けられている、請求項１乃至５のいずれかに記載のジェルネイル硬化器。
【請求項７】
前記外殻と内殻の間のスペース内に多数の吸熱フィンを併設した熱吸収板が１又は２以上配置されている、請求項１乃至６のいずれかに記載のジェルネイル硬化器。
【請求項８】
前記熱吸収板はアルミニウム製である、請求項７に記載のジェルネイル硬化器。
【請求項９】
前記外殻と内殻の間のスペース内の前記放熱口の上方部分にファンが配備されている、請求項６乃至８のいずれかに記載のジェルネイル硬化器。
【請求項１０】
前記内殻の内周面又は天面の適宜位置に、過熱防止のための温度センサーが配備されている、請求項１乃至９のいずれかに記載のジェルネイル硬化器。
【請求項１１】
前記ＬＥＤの照射時間を設定するタイマーが配備されている、請求項１乃至１０のいずれかに記載のジェルネイル硬化器。
【発明の詳細な説明】
【技術分野】
【０００１】
本発明は、ジェルネイル硬化器に関するものであり、より詳細には、使用者が光源による眩しさを感じることなく使用することができるジェルネイル硬化器に関するものである。
【背景技術】
【０００２】
近年のネイル業界では、合成樹脂（ジェル）を硬化させて爪に装飾を施す、所謂ジェルネイルと呼ばれるものが一般に流行している。このジェルネイルの硬化は、一般的にＬＥＤライトを用いて行われる。このようなジェルネイルを硬化させるためのＬＥＤライトは、ジェルネイル硬化器として従来から存在しているが、それらの多くは、反射を利用して多方向から光源をジェルに当て、硬化させるものである。
【０００３】
しかるに、これらのジェルネイル硬化器の反射は、思いの外眩しく、使用者は、目を背けなければならないことも少なくなかった。また、多方向からの照射によって、爪以外の肌や、硬化器自体の損傷にもつながっていた。
【先行技術文献】
【特許文献】
【０００４】
【特許文献１】特許第５７００５８８号公報
【特許文献２】特開２０１１−７８６３８号公報
【発明の概要】
【発明が解決しようとする課題】
【０００５】
ところで、最近のＬＥＤライトは従来のものよりも性能が向上しており、反射を利用して多方向から照射せずとも、硬化の効果を得ることが可能な状況となってきている。そこで、本発明は、ＬＥＤライトの反射を利用しないために、眩しさを感ずることなくジェルネイル硬化作業を行うことができるジェルネイル硬化器を提供することを課題とする。
【課題を解決するための手段】
【０００６】
上記課題を解決するための請求項１に記載の発明は、手先を載せ置くベース板と、手先差入用開口を有していて前記ベース板を覆うカバーケースとから成り、前記カバーケースは外殻と内殻の二重構造で前記外殻と内殻の間に多数のＬＥＤが設置され、前記ベース板の上面と前記内殻の内周面及び天面が黒又はそれに近い暗色とされていることを特徴とするジェルネイル硬化器である。
【０００７】
一実施形態においては、前記ベース板の前端面は円弧状に凹んでいて、その部分の端縁を包むように指保護カバーが設置される。また、一実施形態においては、前記ベース板の前端面から少し奥まった部分に、指先を位置決めするための指置きガイドが設置される。通例、その指置きガイドは円弧状に形成される。
【０００８】
また、一実施形態においては、前記ＬＥＤとして、波長が３６０ｎｍから４１０ｎｍの間の１種又は２種以上のＬＥＤが用いられる。
【０００９】
また、一実施形態においては、前記ベース板に１又は複数の放熱口が設けられ、更に、前記外殻と内殻の間のスペース内に多数の吸熱フィンを併設した熱吸収板が１又は２以上配置される。好ましくは、前記熱吸収板はアルミニウム製である。また、前記外殻と内殻の間のスペース内の前記放熱口の上方部分に、ファンが配備される。
【００１０】
更に、一実施形態においては、前記内殻の内周面又は天面の適宜位置に、過熱防止のための温度センサーが配備され、また、前記ＬＥＤの照射時間を設定するタイマーが配備される。
【発明の効果】
【００１１】
本発明は上記のとおりであり、ベース板の上面と内殻の内周面及び天面が黒又はそれに近い暗色とされているため、ＬＥＤライトの反射が起こらず、以て、眩しさを感ずることなくジェルネイル硬化作業を行うことができ、また、肌等に対する紫外線の悪影響を回避し得る効果がある。
【図面の簡単な説明】
【００１２】
【図１】本発明に係るジェルネイル硬化器の正面図である。
【図２】本発明に係るジェルネイル硬化器の底面図である。
【図３】本発明に係るジェルネイル硬化器の、ベース板を除去した底面図である。
【図４】本発明に係るジェルネイル硬化器の中央縦断面図である。
【図５】本発明に係るジェルネイル硬化器の外殻を除去した側面図である。
【図６】本発明に係るジェルネイル硬化器の外殻を除去した平面図である。
【図７】本発明に係るジェルネイル硬化器において用いる熱吸収板の拡大図である。
【図８】本発明に係るジェルネイル硬化器において用いる熱吸収板の拡大図である。
【発明を実施するための形態】
【００１３】
本発明を実施するための形態につき、添付図面に依拠して説明する。図１は、本発明に係るジェルネイル硬化器１の正面図であり、そこに示されるように、本発明に係るジェルネイル硬化器１は、手先を載せ置くベース板２と、手先差入用開口４を有していてベース板２を覆うカバーケース３とから成る。
【００１４】
カバーケース３は、外殻５と内殻６から成る中空体で、外殻５と内殻６の間のスペース７内に制御回路及び配線類（図示してない）が収められ、また、多数のＬＥＤ８が設置される。好ましくは、ジェルネイル硬化器１に、照射時間を設定するためのタイマーが配備される。その場合、カバーケース３の上面にタイマースイッチ類（図示してない）が配設されると共に、タイマー表示パネル２３が設置される。また、後面にアダプター差込口２４が設けられる（図４参照）。
【００１５】
内殻６は、カバーケース３内に、手先差入用開口４から続く手先挿入空間を画成する。図示した例における内殻６の内周面１０（手先差入用開口４側に露出している面）は曲面ではなく、多面体状を呈している。内殻６の内周面１０及び天面１１には、ＬＥＤ８を露出させるための開口１２が多数穿設される。
【００１６】
また、内殻６の内周面１０及びこれに続く底面１３、並びに、ベース板２に、ＬＥＤ８等から発せられる熱を放出するための放熱口１５が適宜形成される。内殻６の底面１３に形成される放熱口１５とベース板２に形成される放熱口１５は、連通させる。このように放熱口１５が設けられることにより、外殻５と内殻６の間のスペース７内の熱が常時放出され、以て、そこに熱がこもってオーバーヒートや故障が発生することが防止される。更に、外殻５と内殻６の間のスペース７内の放熱口１５の上方部分に、ファン２７を設けることもある。その場合、ファン２７の作用により、スペース７内の熱をより効率的に外部に放出することができる。
【００１７】
また、外殻５と内殻６の間のスペース７内に、熱吸収板２５、２６を配置することもある。熱吸収板２５、２６の主な役割は、スペース７内に充満する熱を吸収することであり、この熱吸収板２５、２６をファン２７で冷やすことで、スペース７内全体の温度を下げることができる。熱吸収板２５、２６は前記役割を果たすため、スペース７内の空気の流れを阻害せず、且つ、極力表面積が広い形状のものであることが望ましい。そのため、熱吸収板２５、２６は、多数の吸熱フィンを併設したものであることが望ましい。更に、熱吸収板２５、２６は、熱伝導率の高いアルミニウム製であることが好ましい。
【００１８】
また、内殻６の内周面１０又は天面１１の適宜位置に、過熱防止のためのセンサー１６が配備される（図３参照）。
【００１９】
ベース板２は複数の脚部１８を有していて、カバーケース３の下端部内に、例えば、磁着によって固定される。そのために、ベース板２が磁性材製とされ、内殻６の底面１３内側にマグネットが配設される。ベース板２の前端面は円弧状に凹ませ、その端縁を包むように、例えば、シリコンラバー製の指保護カバー２０が設置され、またその奥に、指先（爪）を位置決めするための指置きガイド２１が配備される。指置きガイド２１は、通例、親指を除く４本の指先を載せ置くためのもので、図示した例では、ベース板２を円弧状に少し隆起させて形成されているが、この形状に限られるものではない。この指置きガイド２１の上に指先を置くことで、常にジェルネイル硬化に最適な位置に指を位置させることができる。
【００２０】
本発明に係るジェルネイル硬化器１は、使用者が眩しさを感じることなく使用することを可能にすることを主な課題とするものであり、そのために、ベース板２の上面全体、並びに、内殻６の内周面１０及び天面１１の全体を黒色又はそれに近い暗色にする。天面１１については、ＬＥＤ８を露出させるための開口１２対応部をくり抜いた、黒色又はそれに近い暗色のシリコンシート２２を定着することとする。なお、少なくとも上記ベース板２の上面全体、並びに、内殻６の内周面１０及び天面１１の全体を黒色又はそれに近い暗色にすれば足りるが、それ以外の面、例えば、ベース板２の裏面等も、黒色又はそれに近い暗色であってもよいことは言うまでもない。
【００２１】
このように、ベース板２、並びに、内殻６の内周面１０及び天面１１の全体、即ち、手先差入用開口４から視認できる周壁面すべてが黒色又はそれに近い暗色とされることにより、ＬＥＤ８から発せられる光が反射されて使用者の視界に入ってくることがなくなり、使用者は、眩しさを感じることなく、ジェルネイルの硬化作業に集中することができるようになる。また、ＬＥＤ８の光を反射させないことで、ＬＥＤ（紫外線）のジェルネイルへの照射を低減させることができ、過度照射によるジェルの劣化を低減することができる、というメリットもある。
【００２２】
なお、現在一般的に使用されているジェルネイル（爪用ジェル）は、３６５ｎｍから４０５ｎｍの間で硬化する性質のものが主流である。この点に鑑み、ＬＥＤ８としては、波長が３６５ｎｍから４０５ｎｍの間の１種又は２種以上のＬＥＤ８を用いることが好ましい。なお、波長が３６５ｎｍから４０５ｎｍの間の１種又は２種以上のＬＥＤ８を取り付け、波長を選択変更可能にしてもよい。
【産業上の利用可能性】
【００２３】
本発明に係るジェルネイル硬化器は上記構成であって、ベース板の上面と内殻の内周面及び天面が黒又はそれに近い暗色とされているため、ＬＥＤライトの反射が起こらず、以て、眩しさを感ずることなくジェルネイル硬化作業を行うことができ、また、肌に対する紫外線の悪影響を回避し得る効果があり、ネイルサロン等の爪に関するエステティック美容の分野における業務的使用のみならず、一般家庭等における私的使用にも適しており、その産業上の利用可能性は大である。
【符号の説明】
【００２４】
１    ジェルネイル硬化器
２    ベース板
３    カバーケース
４    手先差入用開口
５    外殻
６    内殻
７    スペース
８    ＬＥＤ
１０    内周面
１１    天面
１２    開口
１３    底面
１５    放熱口
１６    センサー
１８    脚部
２０    指保護カバー
２１    指置きガイド
２３    タイマー表示パネル
２４    アダプター差込口
２５、２６  熱吸収板
２７    ファン
【図１】
2020010847.tif 000003
【図２】
2020010847.tif 000004
【図３】
2020010847.tif 000005
【図４】
2020010847.tif 000006
【図５】
2020010847.tif 000007
【図６】
2020010847.tif 000008
【図７】
2020010847.tif 000009
【図８】
2020010847.tif 000010